(57)【要約】      （修正有）【課題】走査時間の短縮を図ることでき、更に、装置のコストを抑えた光干渉断層装置を提供する。【解決手段】測定光を被検眼に対して走査する走査手段と、前記走査手段によって第１の走査方向に走査された前記測定光の前記被検眼からの戻り光と前記測定光に対応する参照光とが干渉した干渉光に基づいて前記被検眼の観察用の断層像を取得する第１取得手段と、前記走査手段によって第２の走査方向に走査された前記測定光の前記被検眼からの戻り光と前記測定光に対応する参照光とが干渉した干渉光に基づいて得られた複数の断層像に基づいて前記被検眼の観察用の正面画像を取得する第２取得手段と、前記走査手段を制御することで前記第２の走査方向と前記第１の走査方向とを略一致させる制御手段とを備える。【選択図】図２
2016077454.tif 000002
【特許請求の範囲】
【請求項１】
測定光を被検眼に対して走査する走査手段と、
前記走査手段によって第１の走査方向に走査された前記測定光の前記被検眼からの戻り光と前記測定光に対応する参照光とが干渉した干渉光に基づいて前記被検眼の観察用の断層像を取得する第１取得手段と、
前記走査手段によって第２の走査方向に走査された前記測定光の前記被検眼からの戻り光と前記測定光に対応する参照光とが干渉した干渉光に基づいて得られた複数の断層像に基づいて前記被検眼の観察用の正面画像を取得する第２取得手段と、
前記走査手段を制御することで前記第２の走査方向と前記第１の走査方向とを略一致させる制御手段と、
を備えることを特徴とする眼科装置。
【請求項２】
前記被検眼の断層像を撮影する撮影指示を取得する第３取得手段を更に備え、
前記第３取得手段が撮影指示を取得する前に、前記第１取得手段および前記第２取得手段は前記観察用の断層像および前記観察用の正面画像をそれぞれ取得することを特徴とする請求項１記載の眼科装置。
【請求項３】
前記撮影指示により前記被検眼を撮影するための前記測定光の走査方向に関する情報を取得する第４取得手段を更に備え、
前記制御手段は、前記第４取得手段が取得した前記走査方向に関する情報に基づいて前記第１の走査方向および前記第２の走査方向を決定する請求項２記載の眼科装置。
【請求項４】
前記第１取得手段は、前記観察用の正面画像を取得するために用いた複数の断層像のうち一部の断層像を前記観察用の断層像として取得することを特徴とする請求項１乃至３のいずれか１項に記載の眼科装置。
【請求項５】
前記制御手段は、前記観察用の正面画像を取得するために用いる複数の断層像のうち前記観察用の断層像とする一部の断層像を取得する際の走査密度を他の断層像を取得する際の走査密度よりも高くすることを特徴とする請求項４記載の眼科装置。
【請求項６】
前記観察用の正面画像を取得するために用いる複数の断層像の画角は前記撮影指示に基づいて取得される断層像の画角よりも広く、
前記第１の取得手段は、前記正面画像を取得するために用いる複数の断層像のうち一部の断層像の前記撮影指示に基づいて取得される断層像の画角に対応する部分を前記観察用の断層像として取得することを特徴とする請求項１乃至３のいずれか１項に記載の眼科装置。
【請求項７】
前記制御手段は、前記撮影指示に基づいて前記被検眼の断層像を撮影するための前記測定光の走査方向と前記第１の走査方向と前記第２の走査方向とを同一の走査方向とすることを特徴とする請求項３記載の眼科装置。
【請求項８】
前記観察用の断層像および前記観察用の正面画像を表示手段に表示させる表示制御手段を更に有することを特徴とする請求項１乃至７のいずれか１項に記載の眼科装置。
【請求項９】
被検眼の断層像を撮影する複数のモードのうち選択されたモードに関連付けられている測定光の走査方向を取得する取得手段と、
前記取得手段により取得した走査方向に基づいて、前記被検眼の観察用の正面画像の生成に用いられる複数の断層像を取得するための測定光の走査方向を制御する制御手段と、
を有することを特徴とする眼科装置。
【請求項１０】
前記観察用の正面画像の生成に用いられる複数の断層像の一部を観察用の断層画像とすることを特徴とする請求項９記載の眼科装置。
【発明の詳細な説明】
【技術分野】
【０００１】
開示の技術は、眼科装置に関する。
【背景技術】
【０００２】
光コヒーレンストモグラフィ（Ｏｐｔｉｃａｌ  Ｃｏｈｅｒｅｎｃｅ  Ｔｏｍｏｇｒａｐｈｙ）装置として断層像を撮像するＯＣＴ光学系と眼底像撮影専用のＳＬＯ（Ｓｃａｎｎｉｎｇ  ｌａｓｅｒ  Ｏｐｈｔｈａｌｍｏｓｃｏｐｅ）光学系とを有する装置が知られている。
【０００３】
また、近年では複数の断層像から眼底像を生成する技術（特許文献１）を用いたＳＬＯ光学系を有さないＯＣＴ装置も登場している。
【０００４】
ＯＣＴ装置の撮影画面では、本撮影に先立ち被検者の眼底像プレビューおよび断層像プレビュー（ＯＣＴプレビュー）が行われる。このプレビューにより、検者は走査範囲および本撮影によって得られる断層像などを予め確認することが可能となる。
【０００５】
断層像を撮像するＯＣＴ光学系と眼底像撮影専用のＳＬＯ光学系とを有するＯＣＴ装置では、これらの光学系が独立してＯＣＴプレビューおよび眼底像プレビューのために被検眼に対して光を走査するこができる。従って、ＯＣＴ光学系の走査方向とＳＬＯ光学系の走査方向とが異なっていても同時に走査を行うことが可能である。
【先行技術文献】
【特許文献】
【０００６】
【特許文献１】特開２０１２−１６１４２６号公報
【発明の概要】
【発明が解決しようとする課題】
【０００７】
しかしながら、ＳＬＯ光学系を搭載していないＯＣＴ装置において、眼底像プレビュー表示のための走査方向とＯＣＴプレビュー表示のための走査方向（ＯＣＴ本撮影の走査方向）とが異なる場合、異なる時間に別々に走査を行う必要がある。そのため、プレビューの為の走査に時間がかかるという課題がある。
【０００８】
１つの側面では眼底像と断層像とのプレビューに必要な走査時間の短縮を図ることを目的の１つとして位置付けることができる。
【０００９】
なお、前記目的に限らず、後述する発明を実施するための形態に示す各構成により導かれる作用効果であって、従来の技術によっては得られない作用効果を奏することも本件の他の目的の１つとして位置付けることができる。
【課題を解決するための手段】
【００１０】
上記の目的を達成するため、本眼科装置は測定光を被検眼に対して走査する走査手段と、
前記走査手段によって第１の走査方向に走査された前記測定光の前記被検眼からの戻り光と前記測定光に対応する参照光とが干渉した干渉光に基づいて前記被検眼の観察用の断層像を取得する第１取得手段と、前記走査手段によって第２の走査方向に走査された前記測定光の前記被検眼からの戻り光と前記測定光に対応する参照光とが干渉した干渉光に基づいて得られた複数の断層像に基づいて前記被検眼の観察用の正面画像を取得する第２取得手段と、前記走査手段を制御することで前記第２の走査方向と前記第１の走査方向とを略一致させる制御手段とを備える。
【発明の効果】
【００１１】
開示の技術によれば、眼底像と断層像とのプレビューに必要な走査時間の短縮を図ることが可能である。
【図面の簡単な説明】
【００１２】
【図１】眼科装置の構成の一例を示す図である。
【図２】データ取得部１００の構成の一例を示す図である。
【図３】画像処理部１０１及び表示部１０２の構成の一例を示す図である。
【図４】表示部１０２に表示される前眼観察像４０１、眼底像プレビュー４０２、ＯＣＴプレビュー４０３の一例を示す図である。
【図５】Ａスキャン画像の輝度情報の一例を示す図、及び輝度情報の並べ替えの一例を示す図である。
【図６】ＯＣＴ断層像取得エリア６０１および眼底像取得エリア６０２の一例を示す図である。
【図７】ＯＣＴ断層像取得のための本走査パターン及びプレビュー表示に必要なプレ走査パターンの一例を示す図である。
【図８】ＯＣＴプレビュー表示に必要なプレ走査で得られる断層像の一例を示す図である。
【発明を実施するための形態】
【００１３】
以下、図を参照して本眼科装置に係る実施の形態を説明する。なお、以下の実施例においては眼を撮像対象として説明するが、撮像対象は眼以外の皮膚等にも適用可能である。
【００１４】
図１は本実施形態による眼科装置（光干渉断層撮影装置）の構成の一例を示す図である。
【００１５】
光干渉断層撮影装置は、データ取得部１００、画像処理部１０１および表示部１０２を備える。なお、図１においてデータ取得部１００、画像処理部１０１および表示部１０２はそれぞれ別体として示しているが構成はこれに限定されるものではない。例えば、画像処理部１０１および表示部１０２の少なくとも一方がデータ取得部１００に含まれる構成であってもよい。
【００１６】
データ取得部１００は、測定光を被検眼上で走査及び撮像することにより画像データを取得する。
【００１７】
画像処理部１０１は、データ取得部１００で取得された画像データから被検眼の断層画像を構成する。
【００１８】
表示部１０２は、画像処理部１０１で構成された被検眼の断層画像を表示する。
まずデータ取得部１００の構成について説明する。
【００１９】
図２はデータ取得部１００の構成の一例を示したものである。被検眼Ｅｒに対向して対物レンズ１が設置され、対物レンズ１の光軸上に第１ダイクロックミラー２および第２ダイクロイックミラー３が配置されている。これらのダイクロイックミラーによってＯＣＴ光学系の光路Ｌ１、被検眼Ｅｒの固視を促す為の固視灯用光路Ｌ２、および前眼観察用の光路Ｌ３に波長帯域ごとに分岐される。
【００２０】
固視灯用の光路Ｌ２には、レンズ４および５、固視灯６が配置されている。レンズ４は固視灯の焦点合わせの為、不図示のモータによって駆動される。固視灯６は可視光を発生して被検者の固視を促すものである。更に、固視灯６は点滅可能であり、被検眼Ｅｒ上の任意の位置に任意の形状を作り、被検者の固視を促す。
【００２１】
前眼部観察用の光路Ｌ３には、レンズ７、スプリットプリズム８、レンズ９、前眼部観察用のＣＣＤ１０が配置されている。このＣＣＤ１０は、不図示の前眼観察用光源の波長（例えば９７０ｎｍ付近）に感度を持つものである。
【００２２】
スプリットプリズム８は、被検眼Ｅｒの瞳孔と共役な位置に配置されており、前眼部像を分割する。この分割された前眼部像同士のズレ量は被検眼Ｅｒとデータ取得部１００のＺ方向（前後方向）の距離を示す。したがって、分割された前眼部像同士のズレ量を検出することで、被検眼Ｅｒとデータ取得部１００のＺ方向（前後方向）の距離を検出することができる。
【００２３】
被検眼Ｅｒの画像データを撮像する為のＯＣＴ光学系の光路Ｌ１には、ＸＹスキャナ１１、フォーカスレンズ１２、１３が配置されている。ＸＹスキャナ１１はＯＣＴ光源１４からの光を被検眼Ｅｒ上で走査するためのものである。すなわち、ＸＹスキャナ１１は測定光を被検眼に対して走査する走査手段の一例に相当する。ＸＹスキャナ１１は簡単のため１枚のミラーとして図示してあるが、実際はＸＹ２軸方それぞれの向の走査を行うガルバノミラーを備える。なお、ＸＹスキャナ１１はデータ取得部１００が備える不図示の制御部により制御される。例えば、制御部はＣＰＵにより実現される。なお、データ取得部１００のＣＰＵは後述する画像処理部１０１のＣＰＵと共通であってもよいし、別であってもよい。
【００２４】
レンズ１３は、ファイバー１５から出射するＯＣＴ光源１４からの光を被検眼Ｅｒに焦点合わせするためのものであり、不図示のモータによって駆動される。この焦点合わせによって、被検眼Ｅｒからの戻り光は同時にファイバー１５の先端に、スポット状に結像されて入射されることとなる。
【００２５】
ＯＣＴ光源１４から出射された光は、測定光と参照光に光カプラー１９にて分割される。測定光は光ファイバー１５、ＯＣＴ光学系の光路Ｌ１から対物レンズ１までを通じて被検眼Ｅｒに向けて出射される。この被検眼Ｅｒに向けて出射された測定光は被検眼Ｅｒにて反射散乱し、同じ光路を通じて光カプラー１９に達する。
【００２６】
一方参照光は光ファイバー１７を通じてレンズ２０、分散補償用ガラス２１を通じて参照ミラー２２に向けて出射される。参照ミラー２２から反射した参照光は同じ光路を通じて光カプラー１９に達する。
【００２７】
このように光カプラー１９に達した測定光と参照光は合波され干渉光となる。ここで、測定光の光路長と参照光の光路長がほぼ同一となったときに干渉を生じる。参照ミラー２２は、不図示のモータおよび駆動機構によって光軸方向に調整可能に保持され、被検眼Ｅｒによって変わる測定光の光路長に参照光の光路長を合わせることが可能である。干渉光は光ファイバー１８を介して分光器２３に導かれる。
【００２８】
分光器２３はレンズ２４、２６、回折格子２５、ラインセンサ２７から構成される。光ファイバー１８から出射された干渉光はレンズ２４を介して平行光となった後、回折格子２５で分光され、レンズ２６によってラインセンサ２７に結像される。
【００２９】
本実施形態では干渉系としてマイケルソン干渉系を用いたが、マッハツェンダー干渉系を用いても良い。測定光と参照光との光量差に応じて、光量差が大きい場合にはマッハツェンダー干渉系を、光量差が比較的小さい場合にはマイケルソン干渉系を用いることが望ましい。
【００３０】
次に画像処理部１０１及び表示部１０２の構成について説明する。
【００３１】
図３は画像処理部１０１及び表示部１０２の構成の一例を示したものである。画像処理部１０１は画像生成部３１、記憶部３２を備える。ここで、画像処理部１０１はＣＰＵ等の処理装置および処理装置と接続されたメモリを備える。なお、処理装置およびメモリは複数備えられていても良い。すなわち、画像処理部１０１は少なくとも１つの処理装置と少なくとも１つのメモリを備え、少なくとも１つの処理装置が少なくとも１つのメモリに記憶されたプログラムを実行することで、少なくとも１つの処理装置は画像生成部３１として機能する。なお、当該プログラムを記憶するメモリは記憶部３２に含まれるものであってもよいし、記憶部３２と別に設けられることとしてもよい。
【００３２】
画像生成部３１はデータ取得部１００のラインセンサ２７、画像処理部１０１内の記憶部３２と接続されている。画像生成部３１はＯＣＴ走査手段１１を用いて被検眼ＥｒをＸ方向、Ｙ方向に走査した際にラインセンサ２７から得られる複数のデータから、つまり複数の画像データから平面画像（眼底表面画像）を生成する。複数の断層像データから平面画像を生成する方向については後述する。
【００３３】
また画像生成部３１は被検眼のある１点に光を照射した際にラインセンサ２７から得られるデータをフーリエ変換し、変換されたデータを輝度或いは濃度情報にさらに変換することによって被検眼の深さ方向（Ｚ方向）の画像を取得する。このようにして得られる断層像をＡスキャン画像と呼ぶ。また、被検眼Ｅｒのある１点に光を照射することをＡスキャンと呼ぶ。
【００３４】
このＡスキャンを被検眼Ｅｒの所定の横方向にＸＹスキャナ１１にて走査することによって複数のＡスキャン画像を取得することができる。例えばＸ方向に走査すればＸＺ面における断層画像が得られ、Ｙ方向に走査すればＹＺ面における断層画像が得られる。このように被検眼Ｅｒを所定の横断方向に走査する方式をＢスキャン、得られる断層像をＢスキャン画像と呼ぶ。すなわち、Ｂスキャン画像は複数のＡスキャン画像を含む。
【００３５】
このＢスキャンを被検眼Ｅｒの所定の方向にＸＹスキャナ１１にて繰り返すことによって、複数のＢスキャン画像を取得することができる。例えば、ＸＺ面のＢスキャンをＹ方向に繰り返すことで、ＸＹＺ空間の３次元情報を得ることができる。このような走査を３次元スキャンと呼び、得られた複数のＢスキャン画像から成るデータを３次元データと呼ぶ。この画像生成部３１は３次元データから後述する方法で被検眼Ｅｒの眼底の正面画像を生成することができる。
【００３６】
また、画像生成部３１はＣＣＤ１０と接続されておりＣＣＤ１０の出力に基づいて前眼部画像を生成する。
【００３７】
記憶部３２は画像生成部３１、表示部１０２と接続されている。記憶部３２は画像生成部３１で生成された画像等の各種情報を記憶する。具体的には、記憶部３２はＢスキャン画像、３次元データ、平面画像を記憶する。
【００３８】
表示部１０２は記憶部３２に記憶されたＢスキャン画像、平面画像、及びＣＣＤ１０により取得された前眼部画像を表示する。具体的には、画像処理部１０１が表示部１０２に上記の画像を表示させる。すなわち、画像処理部１０１は、観察用の断層像（ＯＣＴプレビュー）および前記観察用の正面画像（眼底像プレビュー）を表示手段に表示させる表示制御手段の一例に相当する。
【００３９】
図４に被検眼を観察している場合の表示部１０２に表示されるＯＣＴ撮影画面の一例を示す。表示されている断層像の枚数は例示であり図４の形態に限定されるものではない。表示部１０２に表示されるＯＣＴ撮影画面では、記憶部３２に記憶された平面画像を眼底像プレビュー４０２として表示し、ＯＣＴ断層像（Ｂスキャン画像）をＯＣＴプレビュー４０３として表示し、ＣＣＤ１０により取得された前眼部画像４０１を表示する。これらのＯＣＴ撮影画面に表示されている画像は適宜更新される。なお、表示部１０２への画像の表示は画像生成部３１の制御により行われる。すなわち、画像生成部３１は表示制御手段の一例に相当する。
【００４０】
次に複数の断層データから平面画像を生成する方法の一例について図５（ａ）、（ｂ）を用いて説明する。
【００４１】
Ａスキャン画像は被検眼眼底上の一点における深さ方向の断層画像であり、図５（ａ）に示すように深さ方向の複数の輝度情報から構成されている。例えば本装置では２０４８の画素を持つラインセンサ２７を用いており、フーリエ変換後のＡスキャン画像Ａｉは１０２４個の輝度情報から構成されている。ここでＰ０は深さ方向の一番浅い部分の輝度情報を示しており、Ｐ１０２３は深さ方向の一番深い部分の輝度情報を示している。本光干渉断層撮影装置は、これら複数の輝度情報の中から一つの輝度情報を抽出することにより、被検眼眼底上の一点における代表的な強度信号を得る。以下にその方法を詳述する。
【００４２】
まず本光干渉断層撮影装置は、図５（ｂ）に示すようにＡスキャン画像の輝度情報を輝度の大きい順に並べ替えを行う。ここで、Ｒ０は最も明るい輝度情報を持つ画素であり、Ｒ１０２３は最も暗い輝度情報を持つ画素である。
【００４３】
そして本光干渉断層撮影装置は、所定順位の画素Ｒｘを選択する。ここで所定順位の画素とは、輝度情報の大きい順に並べ替えた後、先頭からｘ番目に位置している画素のことである。網膜の断層像は殆どが暗い画素で構成されているため、ｘは総画素数の半分よりも高順位に位置している画素であることが望ましい。例えば総画素数１０２４のＡスキャン画像を用いる場合、上位１０％の位置に相当する先頭から１０２番目の画素を所定順位の画素Ｒｘとして選択することで、強度画像に好適な輝度情報を得ることができる。
【００４４】
本光干渉断層撮影装置は所定順位の画素Ｒｘの輝度情報を、そのＡスキャンにおける強度情報として決定する。そして、全てのＡスキャン画像に対して強度情報を決定することで、被検眼Ｅｒの異なる一点一点における強度情報を得ることができる。それらの強度情報を二次元画像として再構成することで平面画像を得ることができる。
【００４５】
この平面画像は、他の眼底カメラ、ＳＬＯで得られる眼底画像と類似した画像であり、疑似的に眼底表面を可視化することが可能である。また、複数の輝度情報の中から一つの輝度情報のみを選択的に取得するため、Ａスキャン画像に含まれるノイズ成分に左右されることなく好適な平面画像を得ることが可能である。
【００４６】
なお、平面画像の生成方法はこれに限定されるものではなく、他の方法を用いることとしてもよい。例えば、各Ａスキャン画像を積算し平均をとることでＣスキャン画像（平面画像）を生成することとしてもよい。
【００４７】
以上説明したデータ取得部１００、画像処理部１０１、表示部１０２を備える眼科装置を用いた観察から撮影までの動作を説明する。
【００４８】
まず、検者は患者情報（例えば患者ＩＤ、患者名、年齢、性別等）を入力する。次に表示部１０２に表示される撮影画面において、不図示の撮影モード設定用プルタブをクリックし、あらかじめ用意されている複数の撮影モードから被検者に好適な撮影モードを選択する。撮影モードを選択することで、測定光の走査範囲や走査方向、走査密度等の測定条件が自動的に設定される。すなわち、撮影モードには測定光の走査範囲や走査方向、走査密度等の測定条件が関連付けられている。
【００４９】
次に、被検眼とデータ取得部１０１の光軸中心の位置合わせを行う。対物レンズ１の正面に被検眼Ｅｒを位置させ、検者は前眼観察像４０１を見ながら被検眼Ｅｒとデータ取得部１００とのＸＹＺ方向の位置合わせを図示なきジョイスティックを用いて行う。ＸＹ方向の位置合わせは前眼観察部４０１の瞳孔中心が前眼観察像の表示されている画面の中心に位置するようにする。Ｚ方向の位置合わせでは、Ｚ方向の位置合わせが適切でない場合、点線４０４に沿って前眼観察像４０１がスプリットされるので、スプリットされないように位置合わせを行う。すなわち、スプリットされた前眼部像のずれが少なくなるように位置合わせを行う。
【００５０】
このようにして被検眼とデータ取得部１００とのＸＹＺ方向の位置合わせが完了するとＯＣＴ走査手段１１のＸＹ方向の走査により断層画像が生成される。更に複数の網膜断層画像データから上述したように眼底像４０２が生成され表示部１０２の眼底像プレビュー４０２に表示される。
【００５１】
また、得られた断層像がＯＣＴプレビュー４０３に表示される。この前眼観察像４０１、眼底像プレビュー４０２、ＯＣＴプレビュー４０３は適宜更新される。なお、表示部１０２に表示されるプレビューは本発明の特徴であり、詳細は後述する。
【００５２】
次に撮影について説明する。検者により図示なき撮影開始ボタンが操作されると、データ取得部１００及び画像生成部３１は測定光を設定された走査パターンで走査し、Ｂスキャン画像を生成する。画像生成部３１で生成されたＢスキャン画像は記憶部３２に記憶されるとともに表示部１０２に表示される。
【００５３】
以上説明した観察から撮影までを行う基本的な撮影フローに加えて、鮮明な断層像を得るための調整について説明する。
【００５４】
前眼観察像４０１を用いてデータ取得部１００と被検眼Ｅｒとのの位置合わせ完了後、断層像調整の為に参照ミラー２２の位置を調整する。更にフォーカスレンズ１２を駆動させることで、鮮明な断層像を得ることが可能である。
【００５５】
なお、参照ミラー２２の位置の調整は測定光の光路と参照光の光路とが一致する位置を調整することであり、フォーカスレンズ１２の位置調整は干渉光の強度に基づいてフォーカスレンズ１２を調整することである。
【００５６】
また、これらは自動調整されるように制御することも可能である。
【００５７】
例えば、不図示の制御部が参照ミラー２２の自動調整を開始する。すなわち、光路長差が所定の範囲になるように制御することである。ここで、表示部１０２に断層画像を表示することが望ましい。この場合、光路長差（参照ミラー２２の位置）に基づいて、断層画像の表示位置が決まる。このとき、該光路長差が所定の範囲にある場合とは、例えば、該光路長差に対応する表示位置が所定の表示位置にある場合や、断層画像の所定の層、例えば強度の大きい層が所定の表示位置にある場合である。
【００５８】
更に、不図示の制御部がフォーカスレンズ１２の自動調整を開始する。すなわち、干渉光の強度に基づいて、該強度が大きくなるように、フォーカスレンズ１２を制御することである。
【００５９】
上記で説明した調整を行うことで、鮮明な断層像を得ることが可能である。
【００６０】
［プレビューについて］
次に、本発明の特徴である眼底像プレビュー及びＯＣＴプレビューについて説明する。ここで説明を容易にするための例として、撮影指示に基づいて診断に用いる断層画像を取得する断層撮影を本撮影と表現し、その際の測定光の走査を本走査と表記する。一方、眼底像プレビューおよびＯＣＴプレビューのために行う断層撮影をプレ撮影と表現し、その際の測定光の走査をプレ走査と表記する。
【００６１】
まず、ＯＣＴ撮影画面における表示について説明する。
【００６２】
ＯＣＴ撮影画面では、図４に示すように前眼部観察像４０１、眼底像プレビュー４０２、ＯＣＴプレビュー４０３が表示されている。本実施例においてＯＣＴプレビュー４０３に表示できる断層像は最大で、水平断層像３枚、垂直断層像３枚の計６枚である。ＯＣＴプレビュー４０３に表示される種類、及び枚数は撮影モードにより異なる。例えば、Ｇｌａｕｃｏｍａ３Ｄモードの場合には、水平断面画像１枚と垂直断面像３枚を表示し、Ｄｉｓｃ３Ｄの場合には水平断面像３枚と垂直断面像１枚を表示する。
【００６３】
次に、プレビューに表示のための画像の取得方法について説明する。
【００６４】
まず、検者によって複数の撮影モードから、被検者に好適な撮影モードが選択される。この撮影モードの選択により、本撮影の条件（本走査範囲、本走査方向、本走査Ａスキャン間隔等）が設定される。ここでは、Ｄｉｓｃ３Ｄモードの場合を例にとって説明する。Ｄｉｓｃ３Ｄモードの場合、本走査の条件は走査範囲６ｍｍ×６ｍｍ、本走査方向は水平方向である。なお、本撮影の指示はデータ取得部１００が備える制御部により取得される。すなわち、データ取得部１００が備える制御部は、検眼の断層像を撮影する撮影指示を取得する第３取得手段の一例に相当する。また、データ取得部１００が備える制御部は、被検眼の断層像を撮影する複数のモードのうち選択されたモードに関連付けられている測定光の走査方向を取得する取得手段の一例に相当する。
【００６５】
また、本撮影の条件は、撮影指示により被検眼を撮影するための測定光の走査方向に関する情報の一例に相当する。なお、設定された撮影モードおよび本撮影の条件は、例えばデータ取得部１００が備える制御部により取得される。すなわち、データ取得部１００が備える制御部は、撮影指示により被検眼を撮影するための測定光の走査方向に関する情報を取得する第４取得手段の一例に相当する。従って、データ取得部１００が備える制御手段は、前記第４取得手段が取得した走査方向に関する情報に基づいて第１の走査方向および第２の走査方向を決定する。
【００６６】
なお、データ取得部１００が備える制御部が上記の情報を検者から直接取得する場合に限らず、データ取得部１００が備える制御部が画像処理部１０１または表示部１０２を介して上記の情報を取得することとしてもよい。
【００６７】
図６に眼底全体と設定されたＯＣＴ断層像取得エリア６０１、眼底像取得エリア６０２の関係を示す。撮影画面の眼底像プレビュー上に本撮影で得られる断層像の取得範囲４１２を重畳表示するため、眼底像取得エリア６０２はＯＣＴ断層像取得エリア６０１よりも広く設定される。
【００６８】
図７（ａ）に本走査Ｌａ１〜Ｌａ１０の一例を示す。本走査Ｌａ１〜Ｌａ１０の走査方向は、検者によって選択される撮影モードにより設定される。Ｄｉｓｃ３Ｄモードの場合、走査方向は水平方向に設定される。図７（ｂ）にプレ走査の一例を示す。ここで、Ｌｂ１〜Ｌｂ８はプレ走査の内、眼底像プレビューのみに使用する走査を表し、Ｌｃ１〜Ｌｃ３はプレ走査の内、眼底像プレビュー及びＯＣＴプレビューに使用する走査を表している。すなわち、Ｌｂ１〜Ｌｂ８の一部であるＬｃ１〜Ｌｃ３がＯＣＴプレビューに使用される。これらのプレ走査の方向は、データ取得部１００が備える制御部がＸＹスキャナ１１を制御することによって、本走査の走査方向と一致または略一致するように設定される。つまり、ＯＣＴプレビューのための走査方向（第１の方向）と眼底像プレビューのための走査方向（第２の方向）とは、図７（ａ）と同じまたは略同じ走査方向に設定される。言い換えれば、ＯＣＴプレビューのための走査方向（第１の方向）は、眼底像プレビューのための走査方向（第２の方向）と一致または略一致している。ここで略一致とは完全一致の場合およびスキャナの精度問題による誤差がある場合を含む概念である。例えば、本走査の方向が垂直方向であれば、プレ走査の方向は垂直方向に設定される。次に、プレ走査の中でＯＣＴプレビュー表示に使用する走査Ｌｃ１〜Ｌｃ３を決定する。ＯＣＴプレビュー表示に使用する走査Ｌｃ１〜Ｌｃ３は、撮影モードによって設定されるＯＣＴ断層像取得エリア６０１を通るプレ走査の中から任意に設定される。ここで、データ取得部１００が備える制御部は、走査手段を制御することで第２の走査方向と第１の走査方向とを一致させる制御手段の一例に相当する。また、制御手段は、撮影指示に基づいて前記被検眼の断層像を撮影するための測定光の走査方向（本走査の走査方向）と第１の走査方向と第２の走査方向とを同一の走査方向としている。さらに、データ取得部１００が備える制御部は、取得手段により取得した走査方向に基づいて、被検眼の観察用の正面画像の生成に用いられる複数の断層像を取得するための測定光の走査方向を制御する制御手段の一例に相当する。
【００６９】
上述のように、プレ走査Ｌｃ１〜Ｌｃ３により得られた干渉光に基づいて画像生成部３１はプレビュー用のＯＣＴ画像を取得する。すなわち、画像生成部３１は、走査手段によって第１の走査方向に走査された測定光の被検眼からの戻り光と測定光に対応する参照光とが干渉した干渉光に基づいて被検眼の観察用の断層像を取得する第１取得手段の一例に相当する。プレ走査Ｌｃ１〜Ｌｃ３は眼底像プレビューのためのプレ走査Ｌｂ１〜Ｌｂ８の一部であるため、第１取得手段は観察用の正面画像を取得するために用いた複数の断層像のうち一部の断層像を観察用の断層像として取得するといえる。
【００７０】
なお、プレ走査のＡスキャン間隔は、プレビュー表示の為の走査時間短縮のため、本撮影のＡスキャン間隔に比べ広く設定されている。このＡスキャン間隔により取得される断層像をそのままＯＣＴプレビューに使用すると、本撮影で取得される断層像に比べ解像度が低い断層像がプレビュー表示されることになる。ＯＣＴプレビュー表示されている断層像と本撮影により取得される断層像の解像度に乖離があると、検者が現在設定してある測定条件が適当であるかどうかの判断が困難となってしまう。
【００７１】
そのため、ＯＣＴプレビューに使用するプレ走査Ｌｃ１〜Ｌｃ３のＡスキャン間隔は、本撮影のＡスキャン間隔と等しく設定することが望ましい。すなわち、プレ走査Ｌｃ１〜Ｌｃ３はプレ走査Ｌｂ１に比べてＡスキャン間隔が短く設定されている。言い換えれば、観察用の正面画像を取得するために用いる複数の断層像のうち観察用の断層像とする一部の断層像を取得する際の走査密度を他の断層像を取得する際の走査密度よりも高くしている。プレ走査Ｌｃ１〜Ｌｃ３のＡスキャン間隔を本撮影の条件に合わせることで、本撮影で得られるものと同じ解像度の断層画像を表示することが可能となり、検者が現在設定してある測定条件が適当であるかどうかの判断が容易にできるようになる。
【００７２】
また、ＯＣＴプレビュー表示に用いる断層像は、プレ走査Ｌｃ１〜Ｌｃ３のそれぞれで取得される画像データとそれぞれの走査に隣接する二本のプレ走査によって取得される断層画像データを平均化処理したものを使用することとしてもよい。例えば、プレ走査Ｌｃ２で取得される断層像を使用する場合、この走査に隣接するプレ走査Ｌｂ４とＬｂ５で取得される断層画像データを使用して平均化処理を行う。この平均化処理により、画像データに含まれるノイズ成分が低減され、より鮮明な断層画像を得ることが出来る。
【００７３】
図８（ａ）には、眼底像全体とＯＣＴ断層像取得エリア６１、眼底像取得エリア６２の関係を示しており、図８（ｂ）にはプレ走査８０１で取得される断層像を示している。ＯＣＴ断層像取得エリア６１は眼底像取得エリア６２よりも狭く設定してあるため、プレ走査８０１で取得される断層像は、ＯＣＴプレビュー表示を行う断層像よりも広い範囲（画角）で取得された断層画像である。すなわち、観察用の正面画像を取得するために用いる複数の断層像の画角は撮影指示に基づいて取得される断層像の画角よりも広い。そのため、プレ走査８０１で取得された断層画像からＯＣＴ断層像取得エリア６１に対応しているＸ１とＸ２で囲まれた範囲Ａ１の断層画像を抽出し、この断層画像をＯＣＴプレビューとして表示する。すなわち、第１の取得手段は、正面画像を取得するために用いる複数の断層像のうち一部の断層像の影指示に基づいて取得される断層像の画角に対応する部分を観察用の断層像として取得する。
【００７４】
Ｄｉｓｃ３Ｄモードの場合、ＯＣＴプレビューには水平断層像３枚の他に垂直断層像１枚も表示している。上述したもので取得される断層像は水平断層像のみであり、別途垂直断層像を取得する必要がある。垂直断層像取得には、ＯＣＴ断層像取得エリア６０１の任意な場所で縦方向に一回プレ走査を行い、断層像を取得する。この取得された断層像は垂直ＯＣＴプレビュー４１０に表示する。なお、垂直断層像を取得するか否かは任意であり必須のものではない。
【００７５】
眼底像プレビューは、プレ走査Ｌｂ１〜Ｌｂ８およびプレ走査Ｌｃ１〜Ｌｃ３で取得される断層像データから前述した平面画像生成手段により平面画像を再構成し、断層像プレビュー４０２を表示する。具体的には、プレ走査Ｌｂ１〜Ｌｂ８により得られた干渉光に基づいて画像生成部３１はプレビュー用のＯＣＴ画像を取得する。すなわち、画像生成部３１は、走査手段によって第２の走査方向に走査された測定光の被検眼からの戻り光と測定光に対応する参照光とが干渉した干渉光に基づいて得られた複数の断層像に基づいて被検眼の観察用の正面画像を取得する第２取得手段の一例に相当する。すなわち、第３取得手段が撮影指示を取得する前に、第１取得手段および第２取得手段は観察用（プレビュー用）の断層像および観察用の正面画像をそれぞれ取得する。
【００７６】
また、撮影モードとしてＧｌａｕｃｏｍａ３Ｄモードが選択された場合には、本走査Ｌａ１〜Ｌａ１０の走査方向は縦方向となり、本走査の走査方向に従ってプレ走査Ｌｂ１〜Ｌｂ８の走査方向も縦方向になる。
【００７７】
上述したように、撮影モードによって設定される本撮影の走査方向にプレ走査方向を一致させ、プレ走査で得られる断層画像から眼底像プレビュー画像及びＯＣＴプレビュー画像を生成することで、プレビュー表示に必要な走査時間の短縮を図ることが可能となる。
【００７８】
〔その他〕
また、本件は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2016077454.tif 000003
【図２】
2016077454.tif 000004
【図３】
2016077454.tif 000005
【図４】
2016077454.tif 000006
【図５】
2016077454.tif 000007
【図６】
2016077454.tif 000008
【図７】
2016077454.tif 000009
【図８】
2016077454.tif 000010